【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
近位端および遠位端を有する第１の電極と、
該第１の電極の該遠位端に近接して少なくとも部分的に配置される、第２の電極と、
該第１の電極の該近位端に近接して少なくとも部分的に配置される、第３の電極と、
を備える、電気外科的器具。
【請求項２】
前記第１の電極は、前記第２および第３の電極の略中間に位置付けられる、請求項１に記載の電気外科的器具。
【請求項３】
前記第１の電極は、少なくとも１つの絶縁体により、前記第２および第３の電極から分離されている、請求項１に記載の電気外科的器具。
【請求項４】
前記第１の電極は、略軸対称な形状である、請求項１に記載の電気外科的器具。
【請求項５】
前記第２の電極および第３の電極のうちの少なくとも１つは、略軸対称な形状である、請求項１に記載の電気外科的器具。
【請求項６】
前記第１の電極は、導電性格子を備える、請求項１に記載の電気外科的器具。
【請求項７】
前記少なくとも１つの第１の電極と機械的に連通している操作手段であって、機械的な力を加えて前記第１の電極の形状を変化させるように構成される、操作手段をさらに備える、請求項１に記載の電気外科的器具。
【請求項８】
前記操作手段は、前記第１の電極の直径を操作するように構成される、請求項７に記載の電気外科的器具。
【請求項９】
前記第２の電極から前記第１の電極への電流の流れと前記第３の電極から該第１の電極への電流の流れとのパーセント比は、約１０−９０パーセント：９０−１０パーセントである、請求項１に記載の電気外科的器具。
【請求項１０】
前記第１の電極は、前記電極アセンブリの軸の周囲で２７０度未満に延在する、活性表面を有する、請求項１に記載の電気外科的器具。
【請求項１１】
前記第１の電極の前記活性表面領域は、８０パーセント未満開いている、請求項１に記載の電気外科的器具。
【請求項１２】
前記リターン電極表面積対活性電極表面積は、少なくとも４：１である、請求項１に記載の電気外科的器具。
【請求項１３】
前記器具は、そった先端を有する、請求項１に記載の電気外科的器具。
【請求項１４】
近位端および遠位端を有する第１の電極と、
該第１の電極に近接して配置される第２の電極と、
該第１の電極と機械的に連通している操作手段であって、該第１の電極の形状を変化させるように構成される、操作手段と、
を備える、電気外科的器具。
【請求項１５】
前記第１の電極は、格子を備える、請求項１４に記載の電気外科的器具。
【請求項１６】
前記操作手段は、前記第１の電極の直径を操作するように構成される、請求項１４に記載の電気外科的器具。
【請求項１７】
前記第２の電極の少なくとも一部は、前記第１の電極内に含まれる、請求項１４に記載の電気外科的器具。
【請求項１８】
近位端および遠位端を有する第１の電極と、該第１の電極の該遠位端に少なくとも部分的に近接して配置される第２の電極と、該第１の電極の該近位端に少なくとも部分的に近接して配置される第３の電極とを提供する手段と、
電気外科手術が行われる部位に該電気外科的器具を挿入する手段と、
該第１の電極がアクティブであり、該第２の電極がリターンであり、該第３の電極がリターンであるように、該電気外科的器具を係合する手段と
を備えている、システム。
【手続補正２】
【補正対象書類名】明細書
【補正対象項目名】００２４
【補正方法】変更
【補正の内容】
【００２４】
上記の本発明の要約は、本発明の考察された実施形態のそれぞれを説明することを目的としていない。これは、図面および以下の発明を実施するための形態の目的である。
例えば、本発明は以下の項目を提供する。
（項目１）
近位端および遠位端を有する第１の電極と、
該第１の電極の該遠位端に近接して少なくとも部分的に配置される、第２の電極と、
該第１の電極の該近位端に近接して少なくとも部分的に配置される、第３の電極と、
を備える、電気外科的器具。
（項目２）
上記第１の電極は、上記第２および第３の電極の略中間に位置付けられる、項目１に記載の電気外科的器具。
（項目３）
上記第１の電極は、少なくとも１つの絶縁体により、上記第２および第３の電極から分離されている、項目１に記載の電気外科的器具。
（項目４）
上記第１の電極は、略軸対称な形状である、項目１に記載の電気外科的器具。
（項目５）
上記第２の電極および第３の電極のうちの少なくとも１つは、略軸対称な形状である、項目１に記載の電気外科的器具。
（項目６）
上記第１の電極は、導電性格子を備える、項目１に記載の電気外科的器具。
（項目７）
上記少なくとも１つの第１の電極と機械的に連通している操作手段であって、機械的な力を加えて上記第１の電極の形状を変化させるように構成される、操作手段をさらに備える、項目１に記載の電気外科的器具。
（項目８）
上記操作手段は、上記第２の電極に近接して固着される、項目７に記載の電気外科的器具。
（項目９）
上記第１の電極は、活性電極を備える、項目１に記載の電気外科的器具。
（項目１０）
上記第２の電極は、リターン電極を備える、項目１に記載の電気外科的器具。
（項目１１）
上記第３の電極は、リターン電極を備える、項目１に記載の電気外科的器具。
（項目１２）
上記第２の電極の少なくとも一部は、上記第１の電極により包囲される、項目１に記載の電気外科的器具。
（項目１３）
上記第３の電極の少なくとも一部は、上記第１の電極により包囲される、項目１に記載の電気外科的器具。
（項目１４）
上記第１の電極は、少なくとも１つのコイル状ワイヤ、編組導電性材料、および織物導電性材料から成る群における形態のうちの１つである、項目１に記載の電気外科的器具。
（項目１５）
上記操作手段は、上記第１の電極の直径を操作するように構成される、項目７に記載の電気外科的器具。
（項目１６）
上記第２の電極から上記第１の電極への電流の流れと上記第３の電極から該第１の電極への電流の流れとのパーセント比は、約１０−９０パーセント：９０−１０パーセントである、項目１に記載の電気外科的器具。
（項目１７）
上記第２の電極から上記第１の電極への電流の流れと上記第３の電極から該第１の電極への電流の流れとのパーセント比は、約２０−８０パーセント：８０−２０パーセントである、項目１に記載の電気外科的器具。
（項目１８）
上記第２の電極から上記第１の電極への電流の流れと上記第３の電極から該第１の電極への電流の流れとのパーセント比は、約４０−６０パーセント：６０−４０パーセントである、項目１に記載の電気外科的器具。
（項目１９）
上記第２の電極から上記第１の電極への電流の流れと上記第３の電極から該第１の電極への電流の流れとのパーセント比は、約５０：５０パーセントである、項目１に記載の電気外科的器具。
（項目２０）
上記第１の電極は、上記電極アセンブリの軸の周囲で２７０度未満に延在する、活性表面を有する、項目１に記載の電気外科的器具。
（項目２１）
上記第１の電極は、上記電極アセンブリの軸の周囲で１８０度未満に延在する、活性表面を有する、項目１に記載の電気外科的器具。
（項目２２）
上記第１の電極は、上記電極アセンブリの軸の周囲で９０度未満に延在する、活性表面を有する、項目１に記載の電気外科的器具。
（項目２３）
上記第１の電極は、上記電極アセンブリの軸の周囲で４５度未満に延在する、活性表面を有する、項目１に記載の電気外科的器具。
（項目２４）
上記第１の電極は、上記電極アセンブリの軸の周囲で少なくとも１０度に延在する、活性表面を有する、項目１に記載の電気外科的器具。
（項目２５）
上記第１の電極の上記活性表面領域は、２０−８０パーセント開いている、項目１に記載の電気外科的器具。
（項目２６）
上記第１の電極の上記活性表面領域は、３０−７０パーセント開いている、項目１に記載の電気外科的器具。
（項目２７）
上記第１の電極の上記活性表面領域は、２０パーセントを上回って開いている、項目１に記載の電気外科的器具。
（項目２８）
上記第１の電極の上記活性表面領域は、８０パーセント未満開いている、項目１に記載の電気外科的器具。
（項目２９）
上記リターン電極のリターン表面の少なくとも一部は、直接組織接触が不可能である、項目１に記載の電気外科的器具。
（項目３０）
上記リターン電極表面積対活性電極表面積は、少なくとも２：１である、項目１に記載の電気外科的器具。
（項目３１）
上記リターン電極表面積対活性電極表面積は、少なくとも４：１である、項目１に記載の電気外科的器具。
（項目３２）
上記器具は、そった先端を有する、項目１に記載の電気外科的器具。
（項目３３）
上記器具は、そることが可能な先端を有する、項目１に記載の電気外科的器具。
（項目３４）
近位端および遠位端を有する第１の電極と、
該第１の電極に近接して配置される第２の電極と、
該第１の電極と機械的に連通している操作手段であって、該第１の電極の形状を変化させるように構成される、操作手段と、
を備える、電気外科的器具。
（項目３５）
上記第１の電極は、格子を備える、項目３４に記載の電気外科的器具。
（項目３６）
上記操作手段は、上記第１の電極の直径を操作するように構成される、項目３４に記載の電気外科的器具。
（項目３７）
上記第１の電極は、活性電極を備える、項目３４に記載の電気外科的器具。
（項目３８）
上記第２の電極は、リターン電極を備える、項目３４に記載の電気外科的器具。
（項目３９）
上記操作手段は、上記第１の電極の上記遠位端に近接して固着される、項目３４に記載の電気外科的器具。
（項目４０）
上記第２の電極の少なくとも一部は、上記第１の電極内に含まれる、項目３４に記載の電気外科的器具。
（項目４１）
上記第２の電極は、上記第１の電極の上記近位端上に、少なくとも部分的に配置される、項目３４に記載の電気外科的器具。
（項目４２）
上記第２の電極は、上記第１の電極の上記遠位端上に、少なくとも部分的に配置される、項目３４に記載の電気外科的器具。
（項目４３）
上記第２の電極から上記第１の電極への電流の流れと第３の電極から該第１の電極への電流の流れとのパーセント比は、約１０−９０パーセント：９０−１０パーセントである、項目３４に記載の電気外科的器具。
（項目４４）
上記第２の電極から上記第１の電極への電流の流れと第３の電極から該第１の電極への電流の流れとのパーセント比は、約４０−６０パーセント：６０−４０パーセントである、項目３４に記載の電気外科的器具。
（項目４５）
上記第１の電極は、上記電極アセンブリの軸の周囲で２７０度未満に延在する活性表面を有する、項目３４に記載の電気外科的器具。
（項目４６）
上記第１の電極は、上記電極アセンブリの軸の周囲で１８０度未満に延在する活性表面を有する、項目３４に記載の電気外科的器具。
（項目４７）
上記第１の電極の上記活性表面領域は、２０−８０パーセント開いている、項目３４に記載の電気外科的器具。
（項目４８）
上記リターン電極表面積対活性電極表面積は、少なくとも２：１である、項目３４に記載の電気外科的器具。
（項目４９）
上記リターン電極表面積対活性電極表面積は、少なくとも４：１である、項目３４に記載の電気外科的器具。
（項目５０）
近位端および遠位端を有する第１の電極と、該第１の電極の該遠位端に近接して少なくとも部分的に配置される第２の電極と、該第１の電極の該近位端に近接して少なくとも部分的に配置される第３の電極とを提供するステップと、
電気外科手術が行われる部位に該電気外科的器具を挿入するステップと、
該第１の電極が活性であり、該第２の電極がリターンであり、該第３の電極がリターンであるように、該電気外科的器具を係合するステップと
を含む、方法。
（項目５１）
上記電気外科的装置の上記第１の電極を拡張するステップをさらに含む、項目５０に記載の方法。
（項目５２）
上記電気外科手術は、尿道内で行われる、項目５０に記載の方法。
（項目５３）
上記電気外科的装置を収縮させるステップをさらに含む、項目５０に記載の方法。
（項目５４）
良性前立腺過形成に関連する組織を除去するステップをさらに含む、項目５０に記載の方法。
（項目５５）
項目１の上記電気外科的器具を係合するステップは、アブレーションおよび凝固周波数を同時に適用するステップをさらに含む、項目５０に記載の方法。
（項目５６）
項目１の上記電気外科的器具を係合するステップは、アブレーション周波数の各印加が、凝固周波数の印加により自動的に完結するように、アブレーションおよび凝固周波数を順次的に印加するステップをさらに含む、項目５０に記載の方法。
（項目５７）
上記電気外科的器具を係合するステップは、上記活性電極と、上記第２および第３のリターン電極の両方との間に、第１の蒸発ＲＦ信号および第２の凝固ＲＦ信号を順次的に有する、複合高周波信号を供給するステップを含む、項目５０に記載の方法。
（項目５８）
上記第１の電極は、活性電極として機能し、上記第２および第３の電極は、リターン電極として機能する、項目５０に記載の方法。
（項目５９）
上記第１の電極は、上記第２または第３のいずれかの電極と組み合わせてリターン電極として機能するように切り替え可能であり、上記第２または第３のいずれかの電極は、活性電極として機能する、項目５０に記載の方法。
（項目６０）
上記電極は、凝固周波数が、上記第２および第３の電極の間に送達されるように、切り替え可能である、項目５９に記載の方法。
（項目６１）
近位端および遠位端を有する第１の電極と、該第１の電極の該遠位端に近接して少なくとも部分的に配置される、第２の電極と、該第１の電極の該近位端に近接して少なくとも部分的に配置される、第３の電極とを備える、電気外科的装置を提供するステップと、
電気外科手術が行われる部位に該電気外科的装置を挿入するステップと、
該第１の電極が、活性であり、該第２の電極が、リターンであり、該第３の電極が、リターンであるように、第１のモードにおいて該電気外科的装置を係合するステップと、
該第１の電極が、リターンであり、該第２の電極が、活性であり、該第３の電極が、リターンとなるように、第２のモードにおいて該電気外科的装置を係合するステップと、
該第１のモードと第２のモードとの間で切り替えるステップと
を含む、方法。
（項目６２）
上記第１の電極が、リターンであり、上記第２の電極が、リターンであり、上記第３の電極が、活性であるように、第３のモードにおいて上記電気外科的装置を係合するステップと、
上記第１のモード、第２のモード、および第３のモードの間で切り替えるステップと
をさらに含む、項目６１に記載の方法。
（項目６３）
近位端および遠位端を有する第１の電極と、該第１の電極の該遠位端に近接して少なくとも部分的に配置される、第２の電極と、該第１の電極の該近位端に近接して少なくとも部分的に配置される、第３の電極と、を備える、電気外科的装置を提供するステップと、
電気外科手術が行われる部位に該電気外科的装置を挿入するステップと、
該第１の電極が、リターンであり、該第２の電極が、活性であり、該第３の電極が、リターンであるように、第１のモードにおいて該電気外科的装置を係合するステップであって、アブレーション電流が送達される、ステップと、
該第１の電極が、活性であり、該第２の電極が、リターンであり、該第３の電極が、リターンとなるように、第２のモードにおいて該電気外科的装置を係合するステップであって、凝固電流が送達される、ステップと、
該第１のモードと第２のモードとの間で切り替えるステップと
を含む、方法。